(57)【要約】【課題】複製されたコンテンツの異常を高い信頼性で高速に検出することが可能なコンテンツ複製異常検出装置を提供する。【解決手段】圧縮された複製元のコンテンツデータから抽出したＩピクチャデータを蓄積する第１比較データ蓄積手段１０４と、蓄積された各Ｉピクチャデータの複製元のコンテンツデータにおけるアドレス情報を収集して比較データ識別情報として記憶する比較データ識別情報管理手段１０５と、複製後のコンテンツデータから比較データ識別情報のアドレス情報に従って抽出したＩピクチャデータを蓄積する第２比較データ蓄積手段１０８と、第１比較データ蓄積手段１０４と第２比較データ蓄積手段１０８とに蓄積されたＩピクチャデータを比較する比較手段１０９と、比較の結果差異が検出されたときは、差異が検出されたＩピクチャデータの画像を同一画面上に表示させるための画面情報を生成する出力情報生成手段１１０とを備える。【選択図】図１
2008160264.tif 000002
【特許請求の範囲】
【請求項１】
複製元のディスク記録媒体から読み出されたＭＰＥＧ２方式で符号化されたコンテンツデータを、複製先のディスク記録媒体に複製した場合における、前記コンテンツデータの複製が正常に行われたか否かを判定するコンテンツ複製異常検出装置において、
前記複製元のディスク記録媒体から読み出された、第１のコンテンツデータを入力する第１コンテンツデータ入力手段と、
前記第１コンテンツデータ入力手段に入力された第１のコンテンツデータからＩピクチャストリームデータを抽出するための抽出条件を記憶する抽出条件記憶手段と、
前記抽出条件記憶手段に記憶された抽出条件に従って、前記第１コンテンツデータ入力手段から入力された前記第１のコンテンツデータからＩピクチャストリームデータを抽出する第１比較データ抽出手段と、
前記第１比較データ抽出手段で抽出されたＩピクチャストリームデータを蓄積する第１比較データ蓄積手段と、
前記第１比較データ蓄積手段で蓄積された各Ｉピクチャストリームデータの前記第１のコンテンツデータにおけるアドレス情報を収集し、比較データ識別情報として記憶する比較データ識別情報管理手段と、
前記複製先のディスク記録媒体から読み出された、第２のコンテンツデータを入力する第２コンテンツデータ入力手段と、
前記比較データ識別情報管理手段に記憶された前記比較データ識別情報のアドレス情報に従って、前記第２コンテンツデータ入力手段から入力された前記第２のコンテンツデータからＩピクチャストリームデータを抽出する第２比較データ抽出手段と、
前記第２比較データ抽出手段で抽出されたＩピクチャストリームデータを蓄積する第２比較データ蓄積手段と、
前記第１比較データ蓄積手段に蓄積されたＩピクチャストリームデータと前記第２比較データ蓄積手段に蓄積されたＩピクチャストリームデータとを比較する比較手段と、
前記比較手段における比較の結果、前記第１比較データ蓄積手段に蓄積されたＩピクチャストリームデータと前記第２比較データ蓄積手段に蓄積されたＩピクチャストリームデータとの間に差異が検出されたときは、この差異が検出された前記第１比較データ蓄積手段に蓄積されているＩピクチャストリームデータの画像と前記第２比較データ蓄積手段に蓄積されているＩピクチャストリームデータの画像とを同一画面上に表示させるための画面情報を生成する出力情報生成手段と、
を備えることを特徴とするコンテンツ複製異常検出装置。
【発明の詳細な説明】
【技術分野】
【０００１】
本発明は、複製したデジタルコンテンツデータの複製異常を検出するコンテンツ複製異常検出装置に関する。
【背景技術】
【０００２】
近年、映像や音声などのデジタルコンテンツデータを記録する媒体としてＤＶＤ（Digital Versatile Disc）やＨＤＤ（Hard Disc Drive）などの大容量記録媒体が広く利用されている。
【０００３】
これらの記録媒体に記録されたデジタルコンテンツデータは、複製機能を有する記録装置においてユーザが操作することにより、ＤＶＤからＤＶＤ−Ｒ（Digital Versatile Disc Recordable）へ、ＤＶＤ−ＲからＤＶＤ−Ｒへ、あるいはＨＤＤからＤＶＤ−Ｒへなど、複製することが可能である。
【０００４】
しかし、複製処理の終了時にはデジタルコンテンツデータが正常に複製されたか否かをユーザは判断できず、複製されたコンテンツデータを再生して異常に気づいたときに再度複製しようとしても複製元のコンテンツデータを既に削除してしまっていることがある。
【０００５】
ＤＶＤ−Ｒなどの記録媒体の異常を検出する装置として、特許文献１に記載のディスク評価装置がある。
【０００６】
この特許文献１に記載のディスク評価装置により、ディスクの品質状態を面ブレ量測定、サーボゲイン測定、ジッタ測定、ＲＦレベル測定、エラーレート測定などを行うことにより定量的かつ自動的に評価することが可能になる。
【特許文献１】実開平６−１１１２２号公報
【発明の開示】
【発明が解決しようとする課題】
【０００７】
しかし、特許文献１に記載のディスク評価装置は高価であり、一般ユーザが入手することは困難であった。
【０００８】
また、このディスク評価装置では、記録媒体の物理的特性に関する異常は検出できるが、記録されているコンテンツデータそのものの異常については検出することができず、正常に複製できたか否かはやはり複製されたコンテンツデータを再生しなければ判断できないという問題があった。
【０００９】
また、正常に複製されたか否かを判断するため、複製前のコンテンツデータと複製後のコンテンツデータとを比較しようとすると長時間を要するという問題があった。
【００１０】
本発明は、上記事情に鑑みてなされたものであり、一般ユーザが手軽に利用可能であり、複製されたコンテンツの異常を高い信頼性で高速に検出することが可能なコンテンツ複製異常検出装置を提供することを目的とする。
【課題を解決するための手段】
【００１１】
上記目的を達成するための本発明のコンテンツ複製異常検出装置（１０）は、複製元のディスク記録媒体から読み出されたＭＰＥＧ２方式で符号化されたコンテンツデータを、複製先のディスク記録媒体に複製した場合における、前記コンテンツデータの複製が正常に行われたか否かを判定するものであり、前記複製元のディスク記録媒体から読み出された、第１のコンテンツデータを入力する第１コンテンツデータ入力手段（１０１）と、前記第１コンテンツデータ入力手段（１０１）に入力された第１のコンテンツデータからＩピクチャストリームデータを抽出するための抽出条件を記憶する抽出条件記憶手段（１０２）と、前記抽出条件記憶手段（１０２）に記憶された抽出条件に従って、前記第１コンテンツデータ入力手段（１０１）から入力された前記第１のコンテンツデータからＩピクチャストリームデータを抽出する第１比較データ抽出手段（１０３）と、前記第１比較データ抽出手段（１０３）で抽出されたＩピクチャストリームデータを蓄積する第１比較データ蓄積手段（１０４）と、前記第１比較データ蓄積手段（１０４）で蓄積された各Ｉピクチャストリームデータの前記第１のコンテンツデータにおけるアドレス情報を収集し、比較データ識別情報として記憶する比較データ識別情報管理手段（１０５）と、前記複製先のディスク記録媒体から読み出された、第２のコンテンツデータを入力する第２コンテンツデータ入力手段（１０６）と、前記比較データ識別情報管理手段（１０５）に記憶された前記比較データ識別情報のアドレス情報に従って、前記第２コンテンツデータ入力手段（１０６）から入力された前記第２のコンテンツデータからＩピクチャストリームデータを抽出する第２比較データ抽出手段（１０７）と、前記第２比較データ抽出手段（１０７）で抽出されたＩピクチャストリームデータを蓄積する第２比較データ蓄積手段（１０８）と、前記第１比較データ蓄積手段（１０４）に蓄積されたＩピクチャストリームデータと前記第２比較データ蓄積手段（１０８）に蓄積されたＩピクチャストリームデータとを比較する比較手段（１０９）と、前記比較手段（１０９）における比較の結果、前記第１比較データ蓄積手段（１０４）に蓄積されたＩピクチャストリームデータと前記第２比較データ蓄積手段（１０８）に蓄積されたＩピクチャストリームデータとの間に差異が検出されたときは、この差異が検出された前記第１比較データ蓄積手段（１０４）に蓄積されているＩピクチャストリームデータの画像と前記第２比較データ蓄積手段（１０８）に蓄積されているＩピクチャストリームデータの画像とを同一画面上に表示させるための画面情報を生成する出力情報生成手段（１１０）とを備えることを特徴とする。
【発明の効果】
【００１２】
本発明のコンテンツ複製異常検出装置によれば、一般ユーザが手軽に利用可能であり、複製されたコンテンツの異常を高い信頼性で高速に検出することができる。
【発明を実施するための最良の形態】
【００１３】
〈一実施形態によるコンテンツ複製異常検出装置の構成〉
本発明の一実施形態によるコンテンツ複製異常検出装置１０を有する記録装置１の構成を、図１および図２を用いて説明する。
【００１４】
本実施形態における記録装置１は、コンテンツ複製異常検出装置１０と、第１ＤＶＤドライブ２０と、複製手段３０と、第２ＤＶＤドライブ４０とを有する。
【００１５】
コンテンツ複製異常検出装置１０は、第１バッファ（第１コンテンツデータ入力手段）１０１と、抽出条件記憶手段１０２と、第１比較データ抽出手段１０３と、第１比較データ蓄積手段１０４と、比較データ識別情報管理手段１０５と、第２バッファ（第２コンテンツデータ入力手段）１０６と、第２比較データ抽出手段１０７と、第２比較データ蓄積手段１０８と、比較手段１０９と、出力情報生成手段１１０とを有する。
【００１６】
第１バッファ１０１は、ユーザにより操作された複製指示を取得することにより、後述する第１ＤＶＤドライブ２０に挿入されたＤＶＤ−ＲＯＭに格納されている第１映像音声データ２０１を読み込んで蓄積する。
【００１７】
抽出条件記憶手段１０２は、複製元のコンテンツデータと複製後のコンテンツデータとを比較するために、複製元のコンテンツデータから抽出するデータの抽出条件を記憶する。
【００１８】
抽出条件記憶手段１０２に記憶されている抽出条件の一例を、図２に示す。
【００１９】
図２においては、抽出条件は、抽出するデータの種類はＭＰＥＧ２方式により圧縮されたコンテンツデータの中のＩピクチャストリームデータであり、比較精度は「低」、「中」、「高」の３種類であり、Ｉピクチャストリームデータの抽出頻度は比較精度が「低」のときは１２０秒毎、比較精度が「中」のときは６０秒毎、比較精度が「高」のときは３０秒毎であると設定されている。
【００２０】
３種類の比較精度のうちどの比較精度を利用するかは、あらかじめユーザにより選択されている。
【００２１】
第１比較データ抽出手段１０３は、抽出条件記憶手段１０２に記憶された抽出条件に従って、第１バッファ１０１に蓄積された第１映像音声データ２０１内のIピクチャストリームデータである第１Ｉピクチャストリームデータを、第１映像音声データ２０１から抽出する。
【００２２】
第１比較データ蓄積手段１０４は、第１比較データ抽出手段１０３で第１映像音声データ２０１から抽出された第１Ｉピクチャストリームデータを蓄積するものであり、記録装置１内のＨＤＤ等の記録媒体や半導体記憶装置が利用される。
【００２３】
比較データ識別情報管理手段１０５は、第１比較データ蓄積手段１０４で蓄積された各第１Ｉピクチャストリームデータの第１映像音声データ２０１におけるアドレス情報を収集してテーブルを作成し、比較データ識別情報として記憶する。
【００２４】
第２バッファ１０６は、後述する第２ＤＶＤドライブ４０に挿入されているＤＶＤ−Ｒに記録された第２映像音声データ４０１を読み込んで蓄積する。
【００２５】
第２比較データ抽出手段１０７は、比較データ識別情報管理手段１０５に記憶されている比較データ識別情報のアドレス情報に従って、第２バッファ１０６に蓄積された第２映像音声データ４０１内のＩピクチャストリームデータである第２Ｉピクチャストリームデータを、第２映像音声データ４０１から抽出する。
【００２６】
第２比較データ蓄積手段１０８は、第２比較データ抽出手段１０７で第２映像音声データ４０１から抽出された第２Ｉピクチャストリームデータを蓄積するものであり、記録装置１内のＨＤＤ等の記録媒体や半導体記憶装置が利用される。
【００２７】
比較手段１０９は、第１比較データ蓄積手段１０４に蓄積された第１Ｉピクチャストリームデータと第２比較データ蓄積手段１０８に蓄積された第２Ｉピクチャストリームデータとを比較する。
【００２８】
出力情報生成手段１１０は、比較手段１０９で比較された結果を外部のモニタなどに表示するための出力情報を生成する。
【００２９】
第１ＤＶＤドライブ２０は、複製元のコンテンツデータである第１のコンテンツデータとしての第１映像音声データ２０１がＭＰＥＧ２方式により符号化されて記録されたＤＶＤ−ＲＯＭを挿入する。
【００３０】
複製手段３０は、第１バッファ１０１に蓄積された第１映像音声データ２０１を複製して複製後のコンテンツデータである第２のコンテンツデータとしての第２映像音声データ４０１を生成し、後述する第２ＤＶＤドライブ４０に挿入されているＤＶＤ−Ｒに書き込む。
【００３１】
第２ＤＶＤドライブ４０は、複製手段３０において第２映像音声データ４０１が書き込まれるＤＶＤ−Ｒを挿入する。
【００３２】
〈一実施形態によるコンテンツ複製異常検出装置の動作〉
本実施形態におけるコンテンツ複製異常検出装置１０の動作について、図３〜図１５を参照して説明する。
【００３３】
まず、ユーザの操作により第１映像音声データ２０１の複製指示が入力されると（Ｓ１）、第１ＤＶＤドライブ２０に挿入されているＤＶＤ−ＲＯＭにＭＰＥＧ２方式で圧縮され格納されている第１映像音声データ２０１が、順次第１バッファ１０１に読み込まれ蓄積される（Ｓ２）。
【００３４】
次に、第１バッファ１０１に蓄積された第１映像音声データ２０１が複製手段３０により順次複製されて第２映像音声データが生成される（Ｓ３）と共に、第１比較データ抽出手段１０３において、抽出条件記憶手段１０２に記憶された図２に示すような抽出条件に従って第１バッファ１０１に蓄積された第１映像音声データ２０１から第１Ｉピクチャストリームデータが抽出される（Ｓ４）。
【００３５】
本実施形態においては、あらかじめユーザにより図２における比較精度は「低」が選択されており、１２０秒毎に第１Ｉピクチャストリームデータが抽出される。
【００３６】
第１Ｉピクチャストリームデータは、ＭＰＥＧ２方式により圧縮された映像データを構成するピクチャタイプ（Ｉピクチャ、Ｐピクチャ、Ｂピクチャ）のうち他のＰピクチャまたはＢピクチャを参照せずに符号化されたフレーム映像データであり、1枚の画像情報をすべてそれ自身が保有しているＭＰＥＧ２映像ストリームの基準画像データである。
【００３７】
ここで、第１映像音声データ２０１はＤＶＤ−ＲＯＭから取得されたデータであり、ＤＶＤ−Ｖｉｄｅｏ規格による構造が利用されて第１映像音声データ２０１から第１Ｉピクチャストリームデータが抽出される。
【００３８】
ＤＶＤ−Ｖｉｄｅｏ規格によるＤＶＤ−ＲＯＭに格納された映像音声データの構造について図４〜７を参照して説明する。
【００３９】
ＤＶＤ−ＲＯＭに格納された映像音声データは、図４に示すように、ＤＶＤプレーヤーにおいて簡単にアクセスができるようにファイル名とディレクトリ名があらかじめ指定されたディレクトリ構造により格納されている。
【００４０】
各ＤＶＤ−ＲＯＭに格納されたデータは、ディスク全体に関する情報および全タイトル共通のメニュー情報を格納する１個のビデオマネージャ（VMG）５１と、各タイトルに関する情報を格納するｎ個（ｎは１以上９９以下）のビデオタイトルセット（VTS）５２−１〜５２−ｎで構成されている。
【００４１】
各ビデオタイトルセット（VTS）５２−１〜５２−ｎの中には、ビデオタイトルの映像音声のストリームデータ部分であるビデオオブジェクトセット（VOBS）５３−１〜５３−ｎが含まれており、第１バッファ１０１および第２バッファ１０６においては該当するタイトルのビデオオブジェクトセット（VOBS）５３が読み込まれる。
【００４２】
各ビデオオブジェクトセット（VOBS）５３の構造を、図５に詳細に示す。
【００４３】
ビデオオブジェクトセット（VOBS）５３は複数のビデオオブジェクト（VOB）５４で構成され、各ビデオオブジェクト（VOB）５４は複数のセル５５で構成され、各セルは複数のビデオオブジェクトユニット（VOBU）５６で構成されている。
【００４４】
各ビデオオブジェクトユニット（VOBU）５６は、ビデオオブジェクトユニット（VOBU）５６を管理する情報を記録したナビゲーションパック（NV_PCK）５７で開始され、主映像データを記録したビデオパック（V_PCK）５８、音声データを記録したオーディオパック（A_PCK）５９、および字幕等の副映像データを記録したサブピクチャパック（SP_PCK）６０により構成されている。
【００４５】
ビデオオブジェクトユニット（VOBU）５６の構造を、図６に詳細に示す。
【００４６】
ビデオオブジェクトユニット（VOBU）５６内のナビゲーションパック（NV_PCK）５７は、パック・ヘッダ６１、システム・ヘッダ６２、プログラムコントロールインフォメーションパケット（PCI_PKT）６３、データサーチインフォメーションパケット（DSI_PKT）６４により構成されており、データサーチインフォメーションパケット（DSI_PKT）６４の中にはＤＶＤのフォワードスキャンやバックスキャンを代表とするトリックモードに使用される情報が記載されたＤＳＩデータ６５が含まれており、このＤＳＩデータ６５の情報が利用されてＩピクチャストリームデータが抽出される。
【００４７】
ＤＳＩデータ６５の構造を、図７に詳細に示す。
【００４８】
ＤＳＩデータ６５には、ＶＯＢＵサーチ情報（VOBU_SRI）６６およびＤＳＩ一般情報（DSI_GI）６７が含まれている。
【００４９】
ＶＯＢＵサーチ情報（VOBU_SRI）６６には、本ＤＳＩデータ６５が含まれるビデオオブジェクトユニット（VOBU）５６の再生開始時刻の１２０秒前〜１２０秒先までの各時刻に再生されるＶＯＢＵの先頭アドレスが記述されており、高速でのフォワードスキャン、バックスキャンを可能にしている。
【００５０】
また、ＤＳＩ一般情報（DSI_GI）６７には、ＶＯＢＵの第１リファレンス・ピクチャの終了アドレス（VOBU_1STREF_EA）６８が含まれている。
【００５１】
このＶＯＢＵの第１リファレンス・ピクチャの終了アドレス（VOBU_1STREF_EA）６８は、Ｉピクチャの最終データが記録されているビデオパック（V_PCK）５８のアドレスを、本ＤＳＩデータ６５が記録されているビデオオブジェクトユニット（VOBU）５６の先頭論理ブロック（Logical Block）からの相対論理ブロック値（Relative Logical Block Number）で記述されている。
【００５２】
上述した構造を持つ第１映像音声データ２０１から、第１比較データ抽出手段１０３においてＩピクチャストリームデータが１２０秒ごとに抽出されるときの動作について、図６、図８、図９を参照して説明する。
【００５３】
まず、ビデオオブジェクトユニット（VOBU）５６の先頭アドレスを示すＶＯＢＵ先頭アドレス６９がＶＯＢＵサーチ情報（VOBU_SRI）６６から取得される（Ｓ２１）。
【００５４】
次に、取得されたＶＯＢＵ先頭アドレス６９にナビゲーションパック（NV_PCK）５７分の２０４８バイト（１セクタ）が加算された値が、Ｉピクチャの開始アドレス７０として算出される（Ｓ２２）。
【００５５】
次に、ＶＯＢＵの第１リファレンス・ピクチャの終了アドレス（VOBU_1STREF_EA）６８が抽出される（Ｓ２３）。
【００５６】
次に、Ｉピクチャの開始アドレス７０にＶＯＢＵの第１リファレンス・ピクチャの終了アドレス（VOBU_1STREF_EA）６８が加算された値が、Ｉピクチャの終了アドレス７１として算出される（Ｓ２４）。
【００５７】
次に、ステップＳ２２で算出されたＩピクチャの開始アドレス７０とステップＳ２４で算出されたＩピクチャの終了アドレス７１とが指定されることによりＩピクチャストリームデータのビデオパック（V_PCK）５８が抽出される（Ｓ２５）。
【００５８】
このＩピクチャストリームデータからさらにビデオパック（V_PCK）５８のヘッダ部分が取り除かれれば、ビデオデータ領域のみが抽出される。
【００５９】
次に、第１映像音声データ２０１が終了していなければ（Ｓ２６の「NO」）、ＶＯＢＵサーチ情報（VOBU_SRI）６６から、１２０秒後のビデオオブジェクトユニット（VOBU）５６の先頭アドレスを示すＶＯＢＵ先頭アドレス６９が取得される（Ｓ２７）。
【００６０】
ステップＳ２７でＶＯＢＵ先頭アドレス６９が取得されるとステップＳ２２に戻り、再度Ｉピクチャストリームデータの取得が行われ、第１映像音声データ２０１が終了するまで（Ｓ２６の「YES」）繰り返される。
【００６１】
以上の処理により、第１映像音声データ２０１から第１Ｉピクチャストリームデータのみが高速に抽出される。
【００６２】
図３のフローチャートに戻り、ステップＳ４で抽出された第１Ｉピクチャストリームデータは、第１比較データ蓄積手段１０４に蓄積される（Ｓ５）。
【００６３】
次に、比較データ識別情報管理手段１０５において、第１比較データ蓄積手段１０４に蓄積されに蓄積された第１Ｉピクチャストリームデータの第１映像音声データ２０１におけるアドレス情報が収集されてテーブルが作成され、比較データ識別情報として記憶される（Ｓ６）。
【００６４】
比較データ識別情報管理手段１０５において作成される比較データ識別情報の一例を、図１０に示す。
【００６５】
図１０に示すように、第１比較データ抽出手段１０３で各第１Ｉピクチャストリームデータの抽出中に算出されたＶＯＢＵ先頭アドレス６９と、Ｉピクチャの開始アドレス７０と、ＶＯＢＵの第１リファレンス・ピクチャの終了アドレス（VOBU_1STREF_EA）６８と、Ｉピクチャの終了アドレス７１とが比較データ識別情報管理手段１０５において取得され、比較データ識別情報のテーブルが生成され記憶される。
【００６６】
一方、ステップＳ３で第１映像音声データ２０１が複製され生成された第２映像音声データ４０１は、第２ＤＶＤドライブ４０に挿入されているＤＶＤ−Ｒに順次書き込まれ格納される（Ｓ７）。
【００６７】
次に、第２ＤＶＤドライブ４０に挿入されているＤＶＤ−Ｒに格納された第２映像音声データ４０１が、順次第２バッファ１０６に読み込まれ蓄積される（Ｓ８）。
【００６８】
次に、第２バッファ１０６に蓄積された第２映像音声データ４０１から、第２比較データ抽出手段１０７において、比較データ識別情報管理手段１０５に記憶された比較データ識別情報の各Ｉピクチャの開始アドレス７０とＩピクチャの終了アドレス７１とに従って第２Ｉピクチャストリームデータが抽出される（Ｓ９）。
【００６９】
ここでは、図１１に示すように、比較データ識別情報の各Ｉピクチャの開始アドレス７０とＩピクチャの終了アドレス７１とが参照されることにより第２映像音声データ４０１内でダイレクトにアクセスされるため、第２Ｉピクチャストリームデータが高速に抽出される。
【００７０】
抽出された第２Ｉピクチャストリームデータは、第２比較データ蓄積手段１０８に蓄積される（Ｓ１０）。
【００７１】
次に、比較手段１０９において第１比較データ蓄積手段１０４に蓄積された第１Ｉピクチャストリームデータと第２比較データ蓄積手段１０８に蓄積された第２Ｉピクチャストリームデータとが比較される（Ｓ１１）。
【００７２】
比較手段１０９における比較の結果、第１Ｉピクチャストリームデータと第２Ｉピクチャストリームデータとが等しくないと判断されたときは（Ｓ１２の「NO」）、複製元の第１映像音声データ２０１と複製後の第２映像音声データ４０１とに差異があることを示す情報、および比較結果の詳細を表示するか否かを選択させるボタンで構成された出力情報が出力情報生成手段１１０で生成され（Ｓ１３）、例えば図１２または図１３に示すように外部のモニタ等の表示装置に出力される。
【００７３】
図１２または図１３において比較結果の詳細を表示すること（「はい」ボタン）がユーザにより選択されたときは（Ｓ１４の「YES」）、差異が確認されたポイントの第１Ｉピクチャストリームデータが複製元の画像として表示され、差異が確認されたポイントの第２Ｉピクチャストリームデータが複製後の画像として表示される情報、および、再度複製処理を行うか否かを選択させるボタンで構成された出力情報が出力情報生成手段１１０で生成され（Ｓ１５）、例えば図１４に示すように外部のモニタ等に出力される。
【００７４】
比較に利用されたＩピクチャストリームデータは、他のピクチャタイプ（Ｐピクチャ、Ｂピクチャ）のデータを参照せずに符号化されたフレーム映像データであるため、図１４に示すように表示させることが可能である。
【００７５】
図１４において、表示される複製元の画像または複製後の画像は、差異が確認されたポイントのみの静止画でもよいし、差異が確認されたポイントの前から連続再生させた動画でもよい。また、差異による影響を受けている画像上の範囲を明示して表示させてもよい。
【００７６】
図１４において、再度複製処理が行われること（「はい」ボタン）がユーザにより選択されたときは（Ｓ１６の「YES」）、ステップＳ２に戻り、再度第１映像音声データ２０１の複製処理および正常に複製が行われたか否かを判定する判定処理が行われる。
【００７７】
図１４において、再度複製処理が行われること（「いいえ」ボタン）がユーザにより選択されたときは（Ｓ１６の「NO」）、処理を終了する。
【００７８】
また、図１２または図１３において比較結果の詳細を表示しないこと（「いいえ」ボタン）が選択されたときは（Ｓ１４の「YES」）、ステップＳ１６に移る。
【００７９】
また、比較手段１０９における比較の結果、第１Ｉピクチャストリームデータと第２Ｉピクチャストリームデータとが等しいと判断されたときは（Ｓ１２の「YES」）、複製元の第１映像音声データ２０１と複製後の第２映像音声データ４０１とに差異がなく正常にダビング処理が行われたことを示す出力情報が出力情報生成手段１１０で生成され（Ｓ１７）、例えば図１５に示すように外部のモニタ等の表示装置に出力される。
【００８０】
以上の本実施形態によれば、ＤＶＤの映像音声データを複製した際に、ＤＶＤビデオ規格の構造を利用することにより映像音声データが正常に複製されたか否かを簡易な装置構成で高速に判断することができる。
【００８１】
また、複製元の映像音声データと複製後の映像音声データに差異があったときに、ユーザは差異による映像の影響を視覚で捉えることができる。
【００８２】
また、複製元の映像音声データと複製後の映像音声データに差異があったときには複製が再実行されるため、貴重な映像音声データを正常な状態で確実に保存することができる。
【００８３】
また、実際には複製が失敗していたにもかかわらずユーザがこの失敗を認識できないことにより、複製元のデータを削除してしまう事態を防止することができる。
【図面の簡単な説明】
【００８４】
【図１】本発明の一実施形態によるコンテンツ複製異常検出装置を有する記録装置の構成を示すブロック図である。
【図２】本発明の一実施形態によるコンテンツ複製異常検出装置の抽出条件記憶手段に記憶された抽出条件の一例を示す説明図である。
【図３】本発明の一実施形態によるコンテンツ複製異常検出装置の動作を示すフローチャートである。
【図４】本発明の一実施形態によるコンテンツ複製異常検出装置で利用するＤＶＤ−ＲＯＭに格納された映像音声データの構造を示す説明図である。
【図５】図４のＤＶＤ−ＲＯＭに格納された映像音声データの中のビデオオブジェクトセットの構造を示す説明図である。
【図６】図５のビデオオブジェクトセットの中のビデオオブジェクトユニットの構造を示す説明図である。
【図７】図６のビデオオブジェクトユニットの中のＤＳＩデータの構造を示す説明図である。
【図８】本発明の一実施形態によるコンテンツ複製異常検出装置で第１Ｉピクチャストリームデータが抽出されるときの動作を示す説明図である。
【図９】本発明の一実施形態によるコンテンツ複製異常検出装置で第１Ｉピクチャストリームデータが抽出されるときの動作を示すフローチャートである。
【図１０】本発明の一実施形態によるコンテンツ複製異常検出装置の比較データ識別情報管理手段に記憶される比較データ識別情報の一例を示す説明図である。
【図１１】本発明の一実施形態によるコンテンツ複製異常検出装置の第２比較データ抽出手段における抽出処理の動作を示す説明図である。
【図１２】本発明の一実施形態によるコンテンツ複製異常検出装置の出力情報生成手段で生成される、複製に異常が検出されたときの出力情報が表示されたときの一例を示す画面表示図である。
【図１３】本発明の一実施形態によるコンテンツ複製異常検出装置の出力情報生成手段で生成される、複製に異常が検出されたときの出力情報が表示されたときの一例を示す画面表示図である。
【図１４】本発明の一実施形態によるコンテンツ複製異常検出装置の出力情報生成手段で生成される、異常の詳細の出力情報が表示されたときの一例を示す画面表示図である。
【図１５】本発明の一実施形態によるコンテンツ複製異常検出装置の出力情報生成手段で生成される、複製が正常に行われたときの出力情報が表示されたときの一例を示す画面表示図である。
【符号の説明】
【００８５】
１…記録装置
１０…コンテンツ複製異常検出装置
２０…第１ＤＶＤドライブ
３０…複製手段
４０…第２ＤＶＤドライブ
５１…ビデオマネージャ（VMG）
５２…ビデオタイトルセット（VTS）
５３…ビデオオブジェクトセット（VOBS）
５４…ビデオオブジェクト（VOB）
５５…セル
５６…ビデオオブジェクトユニット（VOBU）
５７…ナビゲーションパック（NV_PCK）
５８…ビデオパック（V_PCK）
５９…オーディオパック（A_PCK）
６０…サブピクチャパック（SP_PCK）
６１…パック・ヘッダ
６２…システム・ヘッダ
６３…プログラムコントロールインフォメーションパケット（PCI_PKT）
６４…データサーチインフォメーションパケット（DSI_PKT）
６５…ＤＳＩデータ
６６…ＶＯＢＵサーチ情報（VOBU_SRI）
６７…ＤＳＩ一般情報（DSI_GI）
６８…第１リファレンス・ピクチャの終了アドレス（VOBU_1STREF_EA）
６９…ＶＯＢＵ先頭アドレス
７０…Ｉピクチャの開始アドレス
７１…Ｉピクチャの終了アドレス
１０１…第１バッファ
１０２…抽出条件記憶手段
１０３…第１比較データ抽出手段
１０４…第１比較データ蓄積手段
１０５…比較データ識別情報管理手段
１０６…第２バッファ
１０７…第２比較データ抽出手段
１０８…第２比較データ蓄積手段
１０９…比較手段
１１０…出力情報生成手段
２０１…第１映像音声データ
４０１…第２映像音声データ
【図１】
2008160264.tif 000003
【図２】
2008160264.tif 000004
【図３】
2008160264.tif 000005
【図４】
2008160264.tif 000006
【図５】
2008160264.tif 000007
【図６】
2008160264.tif 000008
【図７】
2008160264.tif 000009
【図８】
2008160264.tif 000010
【図９】
2008160264.tif 000011
【図１０】
2008160264.tif 000012
【図１１】
2008160264.tif 000013
【図１２】
2008160264.tif 000014
【図１３】
2008160264.tif 000015
【図１４】
2008160264.tif 000016
【図１５】
2008160264.tif 000017